(57)【要約】【課題】使い勝手に優れるとともに、製造コストを抑えることができる天井点検口の提供を目的とする。【解決手段】点検口１の周縁部にフランジ部２を形成し、該フランジ部２の内周縁部の上面に点検口１内方に向かって係止可能な規制部３を点検口１の周縁に沿って形成する点検口枠４と、  蓋板５の周縁部に装着されて該蓋板５の外側に向かって係止可能な被規制部６を蓋板５の周縁部に沿って形成し、前記フランジ部２上に載置されて被規制部６の規制部３との衝接により点検口枠４に対してずれ止めされる蓋見切り縁７とを有して構成する。【選択図】図１
2008111270.tif 000002
【特許請求の範囲】
【請求項１】
点検口の周縁部にフランジ部を形成し、該フランジ部の内周縁部の上面に点検口内方に向かって係止可能な規制部を点検口の周縁に沿って形成する点検口枠と、
蓋板の周縁部に装着されて該蓋板の外側に向かって係止可能な被規制部を蓋板の周縁部に沿って形成し、前記フランジ部上に載置されて被規制部の規制部との衝接により点検口枠に対してずれ止めされる蓋見切り縁とを有する天井点検口。
【請求項２】
点検口の周縁部にフランジ部を形成し、該フランジ部の内周縁部の上面に点検口内方に向かって係止可能な規制部を点検口の周縁に沿って立ち上げる点検口枠と、
平板状の蓋板の周縁部に蓋見切り縁を被せて蓋板の板面周縁部に生じる蓋見切り縁との段差によって蓋板の外側に向かって係止可能な被規制部を蓋板の周縁に沿って形成し、前記フランジ部上に載置されて規制部と被規制部との衝接により点検口枠に対してずれ止めされて点検口を閉塞する蓋体とを有する天井点検口。
【請求項３】
前記蓋見切り縁は複数の縁材を蓋板の周縁部にそれぞれ取り付けて形成され、
各縁材は、厚さの異なる蓋板の外周縁に外嵌可能な断面略コ字状の外嵌部の対を反転自在に連設して断面略Ｓ字状に形成される請求項２記載の天井点検口。
【発明の詳細な説明】
【技術分野】
【０００１】
本発明は天井点検口に関するものである。
【背景技術】
【０００２】
従来、天井点検口としては特許文献１に記載されたものが知られている。この従来例において、天井点検口は、天井点検枠の切欠きに点検蓋の突起を嵌合させて点検蓋を天井点検枠内に固定する。天井点検枠は断面コ字状の基枠の上面の外方縁に垂直壁を起立連設させて形成され、この垂直壁に上述した切欠きが所定間隔で設けられる。点検蓋は外枠内に点検蓋板を張設して形成され、外枠には、上述した切欠きに係脱する突起が側方に向かって突設される。
【０００３】
上記切り欠きは、垂直壁の上端に開放する正面縦溝の下端に横長の開口部を連設して逆Ｔ字状に形成され、点検蓋の外枠に形成される突起の天井点検枠の切り欠きへの係止は、垂直壁の上端から正面縦溝内に突起を挿入し、この正面縦溝に沿って突起を下方に移動させて横長の開口部に到達したら、今度は開口部に沿って突起を横方向に移動させることによりなされる。突起と切欠きが天井点検枠と天井蓋の外枠のそれぞれの対向辺縁に形成されることにより、天井蓋の外枠を天井点検枠に取り付けるためには、天井蓋の外枠を対向辺縁が均等になるように下方に向かって移動させて突起を正面縦溝に通し、突起を開口部に臨ませたら、今度は同様に対向辺縁が均等になるように天井蓋の外枠を横方向に移動させて突起を開口部の終端に移動させる。
【特許文献１】特開平９-３７９８７号公報
【発明の開示】
【発明が解決しようとする課題】
【０００４】
しかしながら、上述した従来例においては、点検蓋の外枠を天井点検枠に固定させるための機構が複雑なため、特に室内側から点検蓋を操作して天井点検枠に着脱させることが難しい上に、製造に手間がかかってしまうという欠点を有する。  
【０００５】
本発明は、以上の欠点を解消すべくなされたものであって、使い勝手に優れるとともに、製造コストを抑えることができる天井点検口の提供を目的とする。
【課題を解決するための手段】
【０００６】
本発明によれば上記目的は、
点検口１の周縁部にフランジ部２を形成し、該フランジ部２の内周縁部の上面に点検口１内方に向かって係止可能な規制部３を点検口１の周縁に沿って形成する点検口枠４と、
蓋板５の周縁部に装着されて該蓋板５の外側に向かって係止可能な被規制部６を蓋板５の周縁部に沿って形成し、前記フランジ部２上に載置されて被規制部６の規制部３との衝接により点検口枠４に対してずれ止めされる蓋見切り縁７とを有する天井点検口を提供することにより達成される。
【０００７】
本発明によれば、点検口枠４には蓋見切り縁７を支承するフランジ部２が形成され、このフランジ部２の内周縁部の上面には、蓋見切り縁７に形成される被規制部６の衝接により点検口枠４に対して蓋見切り縁７をずれ止めする規制部３が形成される。フランジ部２は点検口１の周縁部に形成され、蓋板５の周縁部に装着される蓋見切り縁７を支承することにより、板面方向にずれ止めされた蓋板５によって点検口１を閉塞させる。
【０００８】
上記規制部３は点検口１内方に向かって係止可能に形成され、点検口１を蓋板５によって塞いだ状態で逆方向となる蓋板５の外側に向かう方向には被規制部６が係止可能に形成されて規制部３と被規制部６とが衝接可能になる。また、上述したように規制部３はフランジ部２の内周縁部に設けられ、被規制部６がフランジ部２の外周側等、すなわち規制部３に衝接可能な位置でフランジ部２に支承されることができるようにされる。さらに、規制部３や被規制部６はそれぞれ点検口１、あるいは蓋板５の周縁に沿って設けられ、これにより蓋板５の板面方向の点検口１に対するずれ止めが確保される。
【０００９】
以上の規制部３は、例えばフランジ部２の内周縁にリブを設けて形成するほか、突起を設けても足り、点検口１の周縁に沿って不連続な場合には、蓋板５のがたつきを止めることができるように適宜散点状などに配置すれば足りる。一方、被規制部６は、蓋板５の周縁部、すなわち蓋板５への蓋見切り縁７の装着位置にそのまま形成され、例えば、蓋見切り縁７のフランジ部２への載置面に同様にリブ等を設けたりして形成するほか、蓋見切り縁７のフランジ部２への載置面の内縁自体により構成することも可能である。また、規制部３と被規制部６のいずれか一方を凹状に形成していずれか他方を凸状に形成しても衝接させることが可能である。
【００１０】
したがって蓋見切り縁７の点検口枠４への固定に際しては、フランジ部２に蓋見切り縁７を載せ、フランジ部２の上面に形成される規制部３のリブ等と、フランジ部２上に載置される被規制部６のリブ等とを対峙させるだけでよく、規制部３と被規制部６との衝接により点検口枠４に対して蓋見切り縁７、この蓋見切り縁７を蓋板５に装着して形成される後述する蓋板８をずれ止めすることができる。反対に、蓋見切り縁７を点検口枠４から取り外す際には、蓋見切り縁７を単に上方に移動させるだけでよい。規制部３と被規制部６とは衝接により蓋見切り縁７を点検口枠４に対して適宜ずれ止めできればよく、例えば過剰なずれの発生によって点検口１の一部が開いたりすることなどを防止できれば足りる。蓋見切り縁７の点検口枠４への取り付け作業性を考慮すれば、規制部３と被規制部６は蓋板５の点検口枠４への固定状態において点検口１が開かないなどの目的を達成しうる範囲内で適宜のクリアランスを隔てることが望ましい。
【００１１】
また、上述したように点検口枠４にはフランジ部２の上面に点検口１の周縁に沿って、蓋見切り縁７にはフランジ部２への載置面に蓋板５の周縁に沿って、それぞれリブ等を設ければ足りるため、点検口枠４や蓋見切り縁７を複数の枠材や縁材などを相互に連結し、あるいは天井材や蓋板５等への組み付けによって形成する場合には、製造時に押し出し成形により形成することも可能で、この場合には製造にあまり手間がかからない。少なくとも枠材や縁材は点検口１等の周囲をほぼ囲むように組み付けられていれば足りる。加えて、蓋板５の周縁部に装着する蓋見切り縁７によって蓋板５の周縁部に被規制部６を形成するため、被規制部６を比較的簡単に形成することができる上に、このように蓋板５の周縁部に蓋見切り縁７を装着することにより、蓋板５の周縁部を保護することができる。
【００１２】
すなわち、上述した蓋板５には天井との調和を考慮して天井材が用いられる場合が多く、一般に天井材はその性質上高い強度を必要とされるものではないために脆い場合が多いが、蓋見切り縁７を介してずれ止めされることにより、点検口枠４との衝接による損傷を防止することができる。この場合において、蓋見切り縁７により蓋板５の外周縁を覆ってしまえば、点検口１開閉時に蓋見切り縁７を傾けた時などに点検口枠４や天井下地材に蓋板５が接触して損傷することを防止できる。
【００１３】
また、天井点検口は、
点検口１の周縁部にフランジ部２を形成し、該フランジ部２の内周縁部の上面に点検口１内方に向かって係止可能な規制部３を点検口１の周縁に沿って立ち上げる点検口枠４と、
平板状の蓋板５の周縁部に蓋見切り縁７を被せて蓋板５の板面周縁部に生じる蓋見切り縁７との段差によって蓋板５の外側に向かって係止可能な被規制部６を蓋板５の周縁に沿って形成し、前記フランジ部２上に載置されて規制部３と被規制部６との衝接により点検口枠４に対してずれ止めされて点検口１を閉塞する蓋体８とを有して構成することもできる。
【００１４】
この発明において、点検口枠４には蓋体８が載置されて点検口１が閉塞され、蓋体８は、平板状の蓋板５の周縁部に蓋見切り縁７を被せて形成される。蓋見切り縁７は例えば蓋板５の端面とフランジ部２への載置面とを跨ぐ断面Ｌ字形状にしたり、あるいは蓋板５に外嵌可能な断面コ字形状にしてもよく、板面周縁部に蓋板５と蓋見切り縁７との間に段差を生じさせ、これによって蓋見切り縁７の板厚を利用して蓋板５の外側に向かって係止可能な被規制部６を形成する。
【００１５】
また、蓋見切り縁７が蓋板５の周縁部に被せられ、上述したように段差が形成されることにより、蓋体８を点検口枠４から取り外して一時的に天井下地材等に立て掛けるときには、蓋板５は段差によって天井下地材に接触せず、傷つかない。この場合において、仮に天井下地材等に接触する蓋見切り縁７に凹み等が生じても、点検口１を閉じた状態ではフランジ部２に隠れてしまうために、室内側に露出することはない。さらに、蓋板５の板面周縁部に蓋見切り縁７を被せることにより生じる段差によって被規制部６を形成するこの発明において、被規制部６は蓋板５の外周より内方に形成され、外方からずれ止めする場合に比べて蓋見切り縁７を傾けやすくなり、蓋見切り縁７のずれ止めと点検口枠４からの取り外し時の操作性とを同時により良好にすることができる。
【００１６】
以上の天井点検口において、点検口枠４や蓋見切り縁７などは、所定断面形状の枠材の複数を枠組みしたり、所定断面形状の縁材の複数を蓋板５の周縁部に装着するなどして形成することが可能で、このようにすれば量産性を高めることができる。一方、蓋板５として用いられる場合が多い天井材は、厚さがある程度規格化されているという事情があり、このように規格化された複数の厚さに兼用できるようにすることにより、量産性をさらに向上させることができる。特に蓋見切り縁７においては天井裏での天井下地による支持がないために有効で、この場合蓋見切り縁７を形成する各縁材９については、厚さの異なる蓋板５の外周縁に外嵌可能な断面略コ字状の外嵌部１０の対を反転自在に連設して断面略Ｓ字状に形成すれば、２種類の厚さの蓋板５に兼用できる。また、このように略Ｓ字形状にすることにより、図５（ａ）に示すように蓋体８周縁部の厚さを抑えることが可能となる。
【発明の効果】
【００１７】
以上の説明から明らかなように、本発明によれば、使い勝手に優れるとともに、製造コストを抑えることができる天井点検口を提供することができるために、建物設備の向上を図ることができる。
【発明を実施するための最良の形態】
【００１８】
図１ないし図４に本発明の実施の形態を示す。天井点検口Ａは、天井１１に開設される開口１２の周縁部に固定されて開口１２内部に点検口１を形成する点検口枠４と、平板状の適宜の蓋板５に組み付けられて上記点検口１を開閉可能にする蓋見切り縁７とを有し、図１に示すように、点検口枠４の内部に蓋見切り縁７を落とし込むようにして構成される。
【００１９】
点検口枠４は、アルミニウムの押出型材からなる点検口枠材１３を枠組みして形成され、正方形の点検口１を形成するこの実施の形態においては、点検口１の形状に合わせて点検口枠４を形成するために、同一形状の点検口枠材１３が４本使用される。各点検口枠材１３は、図３（ａ）および（ｂ）に示すようにおよそ逆Ｔ字状断面をなし、天井見切り壁１４の基端から両側に天井覆い片１５と蓋体受け片１６を延設して形成される。なお、天井見切り壁１４の基端部の下面には、室内側からの外観を良くするため、目地溝３４を設けている。
【００２０】
天井見切り壁１４は、点検口枠４を天井１１の開口１２の周縁部に固定したときに開口１２の端面に対峙する平板材であり、天井１１を形成する天井材１７の厚さより長寸に形成される。天井材１７は、設計に応じて例えば天井仕上げ材１７ａと天井下地材１７ｂの２枚貼りにより、あるいは天井仕上げ材１７ａの１枚張りにより構成され、したがってこの実施の形態において天井見切り壁１４は、図３（ｂ）に示すように２枚貼りの天井材１７の厚さより高く形成される。また、天井覆い片１５は、室内側において点検口枠４から開口１２の周縁部に覆い被さるもので、天井材１７の材端を適宜隠せる程度に天井見切り壁１４から水平に張り出される。天井材１７と接触しても姿勢を良好に維持しやすいように、天井覆い片１５は先端を天井見切り壁１４とほぼ平行に立ち上げて形成される。
【００２１】
蓋体受け片１６は、点検口枠材１３を枠組みして点検口枠４が形成されたときに点検口枠４内に落とし込まれる蓋見切り縁７を支承し、蓋見切り縁７を取り付けた蓋板５によって点検口１を閉塞させるもので、天井見切り壁１４から天井覆い片１５の反対側に垂直に張り出される。天井見切り壁１４からの張り出し寸法は、蓋見切り縁７の支承に必要な寸法や、天井見切り壁１４と蓋見切り縁７とのクリアランス等を考慮して適宜決定される。また、蓋体受け片１６は、後述する蓋見切り縁７との係止を考慮して先端が天井見切り壁１４とほぼ平行に立ち上げられ、リブ状のずれ止め１８が形成される。したがって蓋体受け片１６は、天井見切り壁１４から張り出す平面状の支承面１９と、先端に形成されるずれ止め１８を有して構成される。  
【００２２】
以上の点検口枠材１３は、図１および図３（ａ）に示すように長手方向の端面を４５度に切断され、４本がそれぞれの端面を相互に合わせて正方形の枠状をなすように組み上げられて点検口枠４を形成する。点検口枠材１３同士の組み付けは、天井見切り壁１４の背面にスロット状に形成される縦溝２０にL字形状のコーナーピース２１を嵌め込み、コーナーピース２１をかしめてなされる。
【００２３】
したがって点検口枠４には、天井見切り壁１４による縦壁によって断面が正方形をなす筒部２２が形成され、また、その下端部には、天井覆い片１５により外向きフランジ２３が形成され、蓋体受け片１６により内向きフランジ（フランジ部２）が形成される。内向きフランジ２のフランジ面２４の先端縁にはずれ止めリブ２５が全周に渡って形成され、また、内向きフランジ２の内方には、点検口１が形成される。
【００２４】
一方、蓋見切り縁７は、同一形状の４本の蓋見切り縁材９（蓋見切り縁材９）により構成され、各蓋見切り縁材９は塩化ビニル樹脂等の適宜の合成樹脂材を成形して形成される。この蓋見切り縁材９は、図２に示すように略Ｊ字状断面で、蓋見切り壁２６の一端から蓋連結片２７を、他端から蓋支持片２８を延設して形成される。各蓋見切り縁材９の長さは、上述した点検口枠４の筒部２２の断面内部に形成される正方形の一辺よりも小さく、かつ、点検口１の一辺よりも大きい程度にされる。
【００２５】
蓋見切り壁２６は、蓋板５に組み付けられたときにその端面に対峙する平板材であり、蓋板５の厚さ程度に形成される。蓋板５に天井材１７を用いることにより天井１１との意匠的調和を図ることができるため、この実施の形態においては、点検口１の開けやすさを考慮して蓋板５として天井材１７を構成する天井仕上げ材１７ａの１枚のみが使用され、このため蓋見切り壁２６は図２（ａ）に示すように１枚の天井仕上げ材１７ａの厚さ程度の長さ寸法に形成される。
【００２６】
また、蓋連結片２７は、主に蓋板５に蓋見切り縁７を固定する接着剤の接着しろを形成するもので、接着力を考慮した適宜面積になるように蓋見切り壁２６の一端から水平に張り出される。蓋見切り縁材９において、蓋連結片２７は蓋支持片２８より十分幅広く形成され、接着面積を広くするとともに、蓋板５の周縁部を裏面から幅広く補強することができる。
【００２７】
蓋支持片２８は、蓋見切り縁材９を枠組みして蓋見切り縁７を形成したときに上述した内向きフランジ２に支承されて蓋見切り縁７、蓋板５を点検口１を塞ぐように保持するもので、蓋見切り壁２６の蓋連結片２７に対する反対端から該蓋連結片２７と平行に張り出される。張り出し寸法は蓋見切り縁７等の支承に必要な強度等を考慮して適宜決定されるが、少なくともずれ止め１８に乗り上げずに蓋体受け片１６上に載ることができる程度の長さに設定される。
【００２８】
以上の蓋見切り縁材９は、図２（ｂ）に示すように、蓋板５への装着により蓋見切り縁７を形成する。蓋板５の厚さと同程度の高さの蓋見切り壁２６の両端から蓋連結片２７および蓋支持片２８を水平に張り出して蓋板５に外嵌可能なコ字状断面の外嵌部１０を形成する各蓋見切り縁材９は、この外嵌部１０を蓋板５の周縁に嵌合させ、蓋板５との隙間に図示しない接着剤を充填させて蓋板５に固定される。これにより蓋見切り縁材９は蓋板５の全周に渡って額縁状に取り付けられて蓋見切り縁７を形成し、また、蓋板５を点検口１よりひとまわり大きい程度のサイズにし、周縁部に蓋見切り縁７を取り付けても点検口枠４の筒部２２の内部に入る程度の大きさにしておけば、これによって点検口１を閉塞可能な蓋体８が形成される。
【００２９】
この蓋体８は、蓋板５の周縁部に被さる蓋見切り縁７の蓋支持片２８によって一方の面に外周縁に沿って突出する膨出部２９を備え、また、この膨出部２９によって周縁に沿って全周に渡って蓋板５との間に段部（被規制部６）が形成される。すなわち蓋見切り縁７は、蓋板５への外嵌によりその底面が蓋板５の底面よりも下方に突出して膨出部２９を形成し、その底面内周縁によって段部６を形成する。
【００３０】
図３（ｂ）に示すように点検口枠４の内部に蓋体８を嵌入すると、蓋体８は内向きフランジ２にその周縁に配置される蓋見切り縁７を支持されて点検口１から下に落ちることなく、点検口１を閉塞する。この状態で内向きフランジ２にはフランジ面２ａに膨出部２９が載置され、点検口枠４内の中央に蓋体８を嵌入させていれば、段部６によって膨出部２９にずれ止めリブ２５が対峙する。
【００３１】
以上の天井点検口Ａの施工に際しては、天井１１に開設された開口１２の周縁部に点検口枠４を固定し、この開口１２を設けるために天井１１から切り出した天井材１７の切り出し片の寸法を調整するなどして適宜のサイズに形成された蓋板５の周縁部に蓋見切り縁材９を取り付けて蓋見切り縁７、蓋体８を形成する。点検口枠４の開口１２周縁部への固定は、図３（ｂ）や図４に示すように、天井１１内に軽量鋼製下地材によって組まれる野縁３０を利用してなされ、点検口枠４の天井見切り壁１４の上部を野縁３０等にタッピングスクリュー３１によりネジ止めしてなされる。図３（ｂ）において３２は野縁３０が配置されていない点検口枠４の辺縁に補助的に配置された適宜の支持部材であり、点検口枠４は外向きフランジ２３を天井材１７の開口１２周縁部に当接し、この天井材１７の上面に配置される支持部材３２にネジ止めされて固定される。
【００３２】
また、蓋体８は、内装工事現場に搬入した蓋見切り縁材９を上述したようにサイズが調整された蓋板５の周囲に取り付ける現場での施工により形成される。蓋板５の周縁に略Ｊ字状断面の蓋見切り縁７を外嵌させるこの実施の形態において、蓋体８のサイズは蓋見切り縁７の固定位置により調整することが可能で、現場施工であっても蓋体８を容易に製作することができる。なお、図２（ａ）において３３は、蓋板５の厚みに対する外嵌部１０の寸法調整等のためのスポンジである。
【００３３】
点検口枠４の固定が完了した後は、上述したように蓋体８を点検口枠４内に入れて点検口１を塞げば作業は完了する。点検口１の中央に蓋体８を被せた状態で蓋体８の周囲は点検口枠４の筒部２２の内周面、すなわち天井見切り壁１４と適宜の隙間を隔てており、これにより蓋体８の開閉操作がしやすくされる。また、内向きフランジ２のフランジ面２ａに膨出部２９を載せることにより、図４に示すように室内からは点検口１内に蓋見切り縁７が見えず、さらに、開口１２周縁の天井材１７と点検口枠４との繋ぎ目は点検口枠４の天井覆い片１５により、蓋体８と点検口枠４の天井見切り壁１４との隙間は天井点検口Ａの蓋体受け片１６により閉塞されるために、天井１１への天井点検口Ａの付設によって室内の意匠をあまり損ねることはない。
【００３４】
加えて、蓋体８によって点検口１を閉じた状態で、段部６によってずれ止めリブ２５と膨出部２９が対峙し、点検口１の開閉操作などにより図４（ａ）および（ｂ）に示すように蓋体８で内向きフランジ２のフランジ面２ａ上でずれが生じるような場合にも、ずれ止めリブ２５の端面（規制部３）と膨出部２９の段部６との衝接により蓋体８の過剰なずれが防がれ、これにより点検口１の一部が開放したり、蓋見切り縁７が点検口１から露出してしまうようなことが防止される。また、蓋板５の周縁には外嵌される蓋見切り縁７が突出しているため、点検口１の開放時に蓋体８の周縁が点検口枠４に衝接しても、あるいは点検口１を開放したままにするために蓋体８を天井内の軽量鋼製下地材などに立て掛けたとしても、天井材１７は蓋見切り縁７によって保護され、損傷してしまうことはない。
【００３５】
図５（ａ）および（ｂ）に本発明の蓋見切り縁７の他の実施の形態を示す。なお、この実施の形態において、上述した実施の形態と同一の構成要素は図中に同一の符号を付して説明を省略する。この実施の形態は、厚さの異なる２種類の天井材１７、すなわち蓋板５に蓋見切り縁７を共用して使用できるようにしたもので、蓋見切り縁材９は図５（ａ）に示すように断面コ字状の外嵌部１０を反転自在に連設して略Ｓ字状断面に形成される。
【００３６】
蓋連結片２７により外嵌部１０間はやや離間し、蓋体８周縁部の板厚方向の高さが抑えられるために、点検口１の開放操作性が維持される。このような反転可能な略Ｓ字形状によって、蓋見切り縁材９は長手方向に対し直角に切断されて使用され、図５（ｂ）に示すように隣接する蓋見切り縁材９と端面を離して取り付けられるが、４本の蓋見切り縁材９がそれぞれ蓋板５の辺縁を覆うことにより、蓋板５の周縁が損傷してしまうことはない。
【００３７】
なお、以上においては蓋見切り縁材９を略Ｓ字状断面にして反転させる場合を示したが、図５（ｃ）に示すように外嵌部１０を上下に並べて略Ｅ字状にしても厚さの異なる２種類の天井材１７に共用させることができる。
【００３８】
また、蓋板５としての天井材１７に２枚貼りのものを用いる場合、天井仕上げ材１７ａと天井下地材１７ｂをともに１つの外嵌部１０に嵌入させて構成することもできるが、図５（ｄ）に示すように蓋連結片２７を階段状にすれば、蓋体８周縁部の板厚方向の高さを抑えることができる。
【図面の簡単な説明】
【００３９】
【図１】本発明を示す図で、点検口枠と蓋体の組み付け状態を示す全体斜視図である。
【図２】蓋見切り縁の蓋体への装着作業を説明する図で、（ａ）は要部側面図、（ｂ）は要部平面図である。
【図３】点検口枠を説明する図で、（ａ）は点検口枠材の組み付け作業を説明する要部斜視図、（ｂ）は天井に開設される開口周縁部への固定状態、および蓋体による点検口の閉塞を説明する要部断面図である
【図４】ずれ止め効果を説明する図で、（ａ）は要部断面図、（ｂ）は（ａ）の平面図である。
【図５】他の実施の形態、変形例を示す図で、（ａ）は他の実施の形態における蓋見切り縁の要部側面図、（ｂ）は蓋見切り縁を蓋板に装着した状態を示す斜視図、（ｃ）は蓋見切り縁の変形例を示す要部側面図、（ｄ）は蓋見切り縁の他の変形例を示す要部側面図である。
【符号の説明】
【００４０】
１  点検口
２  フランジ部
３  規制部
４  点検口枠
５  蓋板
６  被規制部
７  蓋見切り縁
８  蓋体
９  縁材
１０  外嵌部
【図１】
2008111270.tif 000003
【図２】
2008111270.tif 000004
【図３】
2008111270.tif 000005
【図４】
2008111270.tif 000006
【図５】
2008111270.tif 000007